(57)【要約】【課題】エレベーターかご室の簡易天井、及び、その取付方法において、かご室の天井高さを変更せずに、比較的簡単な方法でかご室の天井を新しくすることである。【解決手段】簡易天井５０は、かご室２０の上下方向に移動可能な大きさの簡易天井本体部６０と、簡易天井本体部６０の一方端側でスライド可能な一方取付金具、及び、簡易天井本体部６０の他方端側でスライド可能な他方取付金具の２つで一対をなす取付金具とを備える。一方取付金具は、簡易天井本体部６０の一方端側を保持しながら簡易天井本体部６０の一方端側から外側に張り出し、他方取付金具は、簡易天井本体部６０の他方端側を保持しながら簡易天井本体部６０の他方端側から外側に張り出す。一方取付金具の張出部分と他方取付金具の張出部分は、それぞれ、かご室頂部の上面と従来天井４０の下面との間に挟まれて固定されている。【選択図】図２
2019218205.tif 000002
【特許請求の範囲】
【請求項１】
エレベーターのかご室における天井高さを同じにして従来天井の下方側に新しく配置された簡易天井であって、
前記かご室の上下方向に移動可能な大きさを有する簡易天井本体部と、
前記簡易天井本体部の一方端側でスライド可能な一方取付金具、及び、前記簡易天井本体部の他方端側でスライド可能な他方取付金具の２つで一対をなす取付金具と、
を備え、
前記一方取付金具は、前記簡易天井本体部の一方端側を保持しながら前記簡易天井本体部の一方端側から外側に張り出し、
前記他方取付金具は、前記簡易天井本体部の他方端側を保持しながら前記簡易天井本体部の他方端側から外側に張り出し、
前記一方取付金具の張出部分、及び、前記他方取付金具の張出部分は、それぞれ、かご室頂部と前記従来天井との間に挟まれて固定されている、エレベーターかご室の簡易天井。
【請求項２】
前記一方取付金具と前記他方取付金具のそれぞれは、
上板部、前記上板部と所定の間隔を空けて配置された下板部、及び前記上板部の一方端と前記下板部の一方端を一体化して接続する縦板部を含み、前記簡易天井本体部は前記上板部の下面と前記下板部の上面との間でスライド可能に配置され、前記上板部の上面は前記従来天井に向い合っており、前記下板部の下面は前記かご室頂部に向い合っている、請求項１に記載のエレベーターかご室の簡易天井。
【請求項３】
前記一対をなす取付金具として、
前記簡易天井本体部の幅方向に沿った一方端側でスライド可能な左取付金具と、
前記簡易天井本体部の幅方向に沿った他方端側でスライド可能な右取付金具と、
を有し２つで一対をなす左右取付金具と、
前記簡易天井本体部の奥行方向に沿った一方端側でスライド可能な前取付金具と、
前記簡易天井本体部の奥行方向に沿った他方端側でスライド可能な後取付金具と、
を有し２つで一対をなす前後取付金具と、
を備える、請求項１または請求項２に記載のエレベーターかご室の簡易天井。
【請求項４】
少なくとも１つの照明ブロックを含む照明装置を備え、
すべての前記照明ブロックは、前記左取付金具、前記右取付金具、前記前取付金具または前記後取付金具のいずれかに一体化されて設けられる、請求項３に記載のエレベーターかご室の簡易天井。
【請求項５】
前記簡易天井本体部は、二つの部分天井部に分割されている、請求項１に記載のエレベーターかご室の簡易天井。
【請求項６】
エレベーターのかご室における天井高さを同じにして従来天井の下方側に新しく簡易天井を取付ける方法であって、
前記簡易天井は、簡易天井本体部、及び、前記簡易天井本体部の一方端側でスライド可能な一方取付金具と前記簡易天井本体部の他方端側でスライド可能な他方取付金具の２つで一対をなす取付金具で構成され、
かご室頂部と前記従来天井とを締結している締結部材を緩め、前記かご室頂部から前記従来天井を上方側に移動可能にする工程と、
前記従来天井を前記かご室頂部よりも上方側に押し上げる従来天井押上工程と、
押し上げられた前記従来天井と前記かご室頂部との間に前記簡易天井を配置する簡易天井配置工程と、
前記かご室頂部と前記従来天井との間に前記簡易天井を挟みながら、前記締結部材を締め付けて前記簡易天井を固定する固定工程と、を含む、エレベーターかご室の簡易天井の取付方法。
【請求項７】
前記簡易天井を構成する前記一方取付金具を前記簡易天井本体部の一方端に当接させ、前記他方取付金具を前記簡易天井本体部の他方端に当接させた状態の前記簡易天井を押込状態簡易天井として、前記押込状態簡易天井は、かご室内で上下方向に移動可能な大きさを有し、
前記従来天井押上工程は、
前記押込状態簡易天井を前記かご室に搬入して前記かご室内で上方側に押し上げ、前記押込状態簡易天井を介して前記従来天井を上方側に押し上げる工程であり、
前記簡易天井配置工程は、
前記一方取付金具について、前記簡易天井本体部の一方端側を保持しながら前記簡易天井本体部の一方端側から外側に張り出させ、前記他方取付金具について、前記簡易天井本体部の他方端側を保持しながら前記簡易天井本体部の他方端側から外側に張り出させ、前記一方取付金具の張出部分、及び、前記他方取付金具の張出部分を、それぞれ、前記かご室頂部と前記従来天井との間に配置する工程であり、
前記固定工程は、
前記一対をなす取付金具の前記張出部分を前記かご室頂部と前記従来天井との間に挟みながら、前記締結部材を締め付けて前記簡易天井を固定する工程である、請求項６に記載のエレベーターかご室の簡易天井の取付方法。
【請求項８】
前記簡易天井本体部は、かご室内で上下方向に移動可能な大きさを有し、
前記従来天井押上工程は、
前記簡易天井本体部を前記かご室内で上方側に押し上げ、前記簡易天井本体部を介して前記従来天井を上方側に押し上げる工程であり、
前記簡易天井配置工程は、
前記従来天井押上工程によって前記かご室頂部と前記従来天井との間に形成された隙間に、前記かご室に突き出さないように予め定めた配置条件の下で、前記簡易天井本体部から分離した状態の前記一対をなす取付金具を配置し、
前記簡易天井本体部を持ち上げた状態で、前記一対をなす取付金具について、一方取付金具をかご室側に移動させて前記簡易天井本体部の一方端側を保持しながら前記簡易天井本体部の一方端側から外側に張り出させた状態とし、他方取付金具をかご室側に移動させて前記簡易天井本体部の他方端側を保持しながら前記簡易天井本体部の他方端側から外側に張り出させた状態として、一方取付金具の張出部分、及び、他方取付金具の張出部分を、それぞれ、前記かご室頂部と前記従来天井との間に配置する工程であり、
固定工程は、
前記一対をなす取付金具の前記張出部分を前記かご室頂部と前記従来天井との間に挟みながら、前記締結部材を締め付けて簡易天井を固定する工程である、請求項６に記載のエレベーターかご室の簡易天井の取付方法。
【発明の詳細な説明】
【技術分野】
【０００１】
本開示は、エレベーターかご室の簡易天井、及びエレベーターかご室の簡易天井取付方法に関する。
【背景技術】
【０００２】
建物に既に設けられているエレベーターについて、かご室の意匠や室内設備を新しくするモダニゼーションにおいて従来の天井を外して新しい天井に取り替える天井改修作業は、天井が無い状態でのかご上作業となることがある。その負荷を軽減するために、例えば、特許文献１には、エレベーターのかご室天井の改修方法として、天井が取り外されたかご室に対し、天井中央板と、天井中央板を挟んで左右両側に配置される一対の天井端板の３部品を互いに結合して、全体として矩形形状の天井板とする方法が述べられている。
【０００３】
また、本開示に関連する技術として、特許文献２には、エレベーターのかご室天井の中央部の天井照明板を２つに分割した場合に、天井照明板の中央部の分割部分が自重で撓むことを指摘している。ここでは、天井照明板を２分割した２つのパネルのそれぞれの外周を垂直方向に対する曲げ剛性が強い枠材で囲み、隣接するパネルの枠材の側面が互いに接する構成として、意匠性を高めながら、分割箇所が自重で撓むことを抑制している。
【先行技術文献】
【特許文献】
【０００４】
【特許文献１】特開２００３−２５２５５０号公報
【特許文献２】特開平１−２０３１９２号公報
【発明の概要】
【発明が解決しようとする課題】
【０００５】
エレベーターの乗りかごの天井の取替において、従来の天井を外し、天井の無い状態で新しい天井を取付ける作業は、チェーンで天井を吊下げ、外した天井をかご室に下ろす作業等があり、手間と、高所作業としての注意が必要である。従来の天井をそのままにして、その下方に新しい天井を設けることも考えられるが、その場合には、かご室の天井高さが低くなり、かご室空間が狭くなる。そこで、かご室の天井高さを変更せずに、比較的簡単な方法でかご室の天井を新しくできるエレベーターかご室の簡易天井、及び、その簡易天井の取付方法が要望される。
【課題を解決するための手段】
【０００６】
本開示に係るエレベーターかご室の簡易天井は、エレベーターのかご室における天井高さを同じにして従来天井の下方側に新しく配置された簡易天井であって、かご室の上下方向に移動可能な大きさを有する簡易天井本体部と、簡易天井本体部の一方端側でスライド可能な一方取付金具、及び、簡易天井本体部の他方端側でスライド可能な他方取付金具の２つで一対をなす取付金具と、を備え、一方取付金具は、簡易天井本体部の一方端側を保持しながら簡易天井本体部の一方端側から外側に張り出し、他方取付金具は、簡易天井本体部の他方端側を保持しながら簡易天井本体部の他方端側から外側に張り出し、一方取付金具の張出部分、及び、他方取付金具の張出部分は、それぞれ、かご室頂部と従来天井との間に挟まれて固定されている。
【０００７】
上記構成によれば、簡易天井は、簡易天井本体部と、簡易天井本体部の両端側でそれぞれスライド可能な２つで一対をなす取付金具とを備える。そして、２つで一対をなす取付金具のそれぞれは、簡易天井本体部を保持しながら、簡易天井本体部の両端側から外側に張り出し、両端側の張出部分は、かご室頂部と従来天井との間に挟まれて固定されている。かご室頂部と従来天井との間に簡易天井がない状態ではかご室の天井高さは、かご室頂部に載っている従来天井の高さである。かご室頂部と従来天井との間に簡易天井が挟まれている状態では、かご室の天井高さは、かご室頂部の上に載っている簡易天井の高さであり、従来天井のみがある場合の天井高さと同じである。このように、従来天井を残したままとする比較的簡単な方法で、天井高さを同じにして、かご室の天井を新しくできる。
【０００８】
本開示に係るエレベーターかご室の簡易天井において、一方取付金具と他方取付金具のそれぞれは、上板部、上板部と所定の間隔を空けて配置された下板部、及び上板部の一方端と下板部の一方端を一体化して接続する縦板部を含み、簡易天井本体部は上板部の下面と下板部の上面との間でスライド可能に配置され、上板部の上面は従来天井に向い合っており、下板部の下面はかご室頂部に向い合っていることが好ましい。
【０００９】
上記構成によれば、一方取付金具と他方取付金具のそれぞれは、上板部と下板部とが縦板部で一体化接続されている比較的簡単な形状を有する。このように、比較的簡単な形状を有する取付金具を用いて、簡易天井をかご室頂部と従来天井の間に配置できる。
【００１０】
本開示に係るエレベーターかご室の簡易天井において、一対をなす取付金具として、簡易天井本体部の幅方向に沿った一方端側でスライド可能な左取付金具と、簡易天井本体部の幅方向に沿った他方端側でスライド可能な右取付金具と、を有し２つで一対をなす左右取付金具と、簡易天井本体部の奥行方向に沿った一方端側でスライド可能な前取付金具と、簡易天井本体部の奥行方向に沿った他方端側でスライド可能な後取付金具と、を有し２つで一対をなす前後取付金具と、を備えることが好ましい。
【００１１】
上記構成によれば、簡易天井本体部を保持しながら張り出してかご室頂部と従来天井との間に挟んで固定するために、簡易天井本体部の左右方向と前後方向の四方向にそれぞれ取付金具が用いられる。これにより、簡易天井の固定が強固になる。
【００１２】
本開示に係るエレベーターかご室の簡易天井において、少なくとも１つの照明ブロックを含む照明装置を備え、すべての照明ブロックは、左取付金具、右取付金具、前取付金具または後取付金具のいずれかに一体化されて設けられることが好ましい。
【００１３】
簡易天井の照明装置を簡易天井本体部に設ける場合は、簡易天井本体部に対して取付金具がスライドするので、照明装置が簡易天井本体部の下面から突出していると、スライドする取付金具に干渉することがある。上記構成によれば、照明装置を構成する全ての照明ブロックはいずれかの取付金具に一体化されているので、照明装置と取付金具との間の干渉問題が生じず、取付金具をスライドさせても照明装置を損傷させることがない。
【００１４】
本開示に係るエレベーターかご室の簡易天井において、簡易天井本体部は、二つの部分天井部に分割されていることが好ましい。
【００１５】
上記構成によれば、簡易天井本体部は分割されているので、簡易天井の取付作業を２回に分けて行うことができ、１回の取付作業において作業員が持ち上げる質量を軽減できる。これにより、例えば、簡易天井の質量が大きい場合でもチェーンを用いなくて済む。
【００１６】
本開示に係るエレベーターかご室の簡易天井の取付方法は、エレベーターのかご室における天井高さを同じにして従来天井の下方側に新しく簡易天井を取付ける方法であって、簡易天井は、簡易天井本体部、及び、簡易天井本体部の一方端側でスライド可能な一方取付金具と簡易天井本体部の他方端側でスライド可能な他方取付金具の２つで一対をなす取付金具で構成され、かご室頂部と従来天井とを締結している締結部材を緩め、かご室頂部から従来天井を上方側に移動可能にする工程と、従来天井をかご室頂部よりも上方側に押し上げる従来天井押上工程と、押し上げられた従来天井とかご室頂部との間に簡易天井を配置する簡易天井配置工程と、かご室頂部と従来天井との間に簡易天井を挟みながら、締結部材を締め付けて簡易天井を固定する固定工程と、を含む。
【００１７】
上記構成によれば、かご室頂部と従来天井とを締結している締結部材を緩め、従来天井を押し上げてかご室頂部と従来天井の間に簡易天井を挟み、締結部材で締め付けるという比較的簡単な方法で、かご室の天井を新しくできる。
【００１８】
本開示に係るエレベーターかご室の簡易天井の取付方法において、簡易天井を構成する一方取付金具を簡易天井本体部の一方端に当接させ、他方取付金具を簡易天井本体部の他方端に当接させた状態の簡易天井を押込状態簡易天井として、押込状態簡易天井は、かご室内で上下方向に移動可能な大きさを有し、従来天井押上工程は、押込状態簡易天井をかご室に搬入してかご室内で上方側に押し上げ、押込状態簡易天井を介して従来天井を上方側に押し上げる工程であり、簡易天井配置工程は、一方取付金具について、簡易天井本体部の一方端側を保持しながら簡易天井本体部の一方端側から外側に張り出させ、他方取付金具について、簡易天井本体部の他方端側を保持しながら簡易天井本体部の他方端側から外側に張り出させ、一方取付金具の張出部分、及び、他方取付金具の張出部分を、それぞれ、かご室頂部と従来天井との間に配置する工程であり、固定工程は、一対をなす取付金具の張出部分をかご室頂部と従来天井との間に挟みながら、締結部材を締め付けて簡易天井を固定する工程であることが好ましい。
【００１９】
上記構成は、かご室内で押込状態簡易天井を持ち上げて、かご室頂部と従来天井との間に取付金具を配置する方法を取る。上記構成によれば、押込状態簡易天井について、かご室内で上下方向に移動可能な大きさとし、例えば、作業員が手で持ち上げ可能な質量とすることで、チェーンでの作業が不要になる。そこで、かご室頂部と従来天井とを締結している締結部材を緩め、かご室頂部から従来天井を上方側に移動可能にし、押込状態簡易天井をかご室内で上方側に押し上げて、押込状態簡易天井を介して従来天井を上方側に押し上げる。そして、一方取付金具について、簡易天井本体部の一方端側を保持しながら簡易天井本体部の一方端側から外側に張り出させ、他方取付金具について、簡易天井本体部の他方端側を保持しながら簡易天井本体部の他方端側から外側に張り出させる。簡易天井本体部の両端側からの張出部分のそれぞれを、かご室頂部と従来天井との間に挟み、締結部材を締め付けて、簡易天井を固定する。このように、押込状態簡易天井を用いて、かご室の天井高さを変更せずに、比較的簡単な方法で簡易天井を配置できる。
【００２０】
本開示に係るエレベーターかご室の簡易天井の取付方法において、簡易天井本体部は、かご室内で上下方向に移動可能な大きさを有し、従来天井押上工程は、簡易天井本体部をかご室内で上方側に押し上げ、簡易天井本体部を介して従来天井を上方側に押し上げる工程であり、簡易天井配置工程は、従来天井押上工程によってかご室頂部と従来天井との間に形成された隙間に、かご室に突き出さないように予め定めた配置条件の下で、簡易天井本体部から分離した状態の一対をなす取付金具を配置し、簡易天井本体部を持ち上げた状態で、一対をなす取付金具について、一方取付金具をかご室側に移動させて簡易天井本体部の一方端側を保持しながら簡易天井本体部の一方端側から外側に張り出させた状態とし、他方取付金具をかご室側に移動させて簡易天井本体部の他方端側を保持しながら簡易天井本体部の他方端側から外側に張り出させた状態として、一方取付金具の張出部分、及び、他方取付金具の張出部分を、それぞれ、かご室頂部と従来天井との間に配置する工程であり、固定工程は、一対をなす取付金具の張出部分をかご室頂部と従来天井との間に挟みながら、締結部材を締め付けて簡易天井を固定する工程であることが好ましい。
【００２１】
上記構成は、かご室頂部と従来天井との間に予め取付金具を配置した上で、簡易天井本体部をかご室内で持ち上げる方法を取る。上記構成によれば、簡易天井本体部について、かご室内で上下方向に移動可能な大きさとし、例えば、作業員が手で持ち上げ可能な質量とすることで、チェーンでの作業が不要になる。そこで、かご室頂部と従来天井とを締結している締結部材を緩め、かご室頂部から従来天井を上方側に移動可能にして、簡易天井本体部を前記かご室で上方側に押し上げる。そして、簡易天井本体部を介して従来天井を上方側に押し上げてかご室頂部との間に形成された隙間に、簡易天井本体部から分離した状態の一対をなす取付金具を配置する。その上で、簡易天井本体部を持ち上げた状態で、一対をなす取付金具について、一方取付金具をかご室側に移動させて簡易天井本体部の一方端側を保持しながら簡易天井本体部の一方端側から外側に張り出させた状態とする。同様に、他方取付金具をかご室側に移動させて簡易天井本体部の他方端側を保持しながら簡易天井本体部の他方端側から外側に張り出させる。簡易天井本体部の両端側からの張出部分を、それぞれ、かご室頂部と従来天井の間に挟み、締結部材を締め付けて、簡易天井を固定する。このように、簡易天井本体部と取付金具とを分離して用いることで、かご室の天井高さを変更せずに、比較的簡単な方法で簡易天井を配置できる。
【発明の効果】
【００２２】
上記構成のエレベーターかご室の簡易天井、及び、その取付方法によれば、かご室の天井高さを変更せずに、比較的簡単な方法でかご室の天井を新しくできる。
【図面の簡単な説明】
【００２３】
【図１】実施の形態に係るエレベーターかご室の簡易天井の取付対象となる従来天井を有する乗りかごを示す図である。図１（ａ）は、上面図であり、（ｂ）は、（ａ）のＢ−Ｂ線に沿った断面図である。
【図２】第１の実施形態に係るエレベーターかご室の簡易天井が取り付けられた乗りかごを示す図である。図２（ａ）は、上面図であり、（ｂ）は、（ａ）のＢ−Ｂ線に沿った断面図である。
【図３】第１の実施形態に係る簡易天井について、４つの取付金具と簡易天井本体部とが分離した状態の分離状態簡易天井の構成図である。図３（ａ）は、分離状態簡易天井の全体についての下面図であり、（ｂ）は、（ａ）のＢ−Ｂ線に沿った断面図であり、（ｃ）は、（ａ）のＣ−Ｃ線に沿った断面図である。
【図４】第１の実施形態に係る簡易天井について、４つの取付金具に簡易天井本体部が押し込まれた状態の押込状態簡易天井の構成図である。図４（ａ）は、押込状態簡易天井の全体についての下面図であり、（ｂ）は、（ａ）のＢ−Ｂ線に沿った断面図であり、（ｃ）は、（ａ）のＣ−Ｃ線に沿った断面図である。
【図５】第１の実施形態に係る簡易天井について、４つの取付金具が簡易天井本体部を保持しながら簡易天井本体部の両端側から張り出した状態の張出状態簡易天井の構成図である。図５（ａ）は、張出状態簡易天井の全体についての下面図であり、（ｂ）は、（ａ）のＢ−Ｂ線に沿った断面図であり、（ｃ）は、（ａ）のＣ−Ｃ線に沿った断面図である。
【図６】第１の実施形態に係るエレベーターかご室の簡易天井取付方法についての手順を示すフローチャートである。
【図７】第１の実施形態に係るエレベーターかご室の簡易天井取付方法についてのさらに詳細な手順を示すフローチャートである。
【図８】図７の手順の内、従来天井を有するエレベーターにおいて、従来天井の締結部材を緩める工程を示す図である。
【図９】図７の手順の内、押込状態簡易天井をかご室で上方側に押し上げる工程を示図である。
【図１０】図９のＸ方向から見た図を用いて、かご室と押込状態簡易天井との関係を示す図である。
【図１１】図７の手順の内、押込状態簡易天井を介して従来天井を上方側に押し上げる工程を示す図である。
【図１２】図７の手順の内、押込状態簡易天井の両端側から取付金具を外側に張り出させて張出状態簡易天井とし、張出状態簡易天井をかご室頂部と従来天井との間に挟み、締結部材を締め付けて固定する工程を示す図である。
【図１３】第２の実施形態に係る簡易天井について、４つの取付金具と簡易天井本体部とが分離した状態の分離状態簡易天井の構成図である。
【図１４】第２の実施形態に係る簡易天井について、４つの取付金具が簡易天井本体部を保持しながら簡易天井本体部の両端側から張り出した状態の張出状態簡易天井の構成図である。
【図１５】第２の実施形態に係るエレベーターかご室の簡易天井取付方法についての詳細な手順を示すフローチャートである。
【図１６】図１５の手順の内、かご室から天井側を見た図を用いて、かご室と簡易天井部と取付金具との関係を示す図である。
【発明を実施するための形態】
【００２４】
以下に図面を用いて本開示に係る実施の形態につき、詳細に説明する。以下では、乗りかごの平面形状及び天井部の平面形状についていずれも正方形として述べるが、これは説明のための例示である。簡易天井本体部と取付金具とで構成される簡易天井において、簡易天井本体部に対し取付金具がスライドする構成を有すれば、正方形以外の平面形状でもよい。例えば、エレベーターの仕様等で、平面形状が矩形の乗りかご及び天井部でもよい。場合によっては、正方形、矩形以外の平面形状を有する乗りかご及び天井部でもよい。以下では、かご室の側壁部の頂部において天井部に向い合うフランジ部の張出方向をかご室の外側方向として述べる。これは説明のための例示であって、取付金具に簡易天井本体部が押し込まれた状態の押込状態簡易天井、あるいは簡易天井本体部が、かご室で上下方向に移動可能であれば、側壁部の頂部におけるフランジ部の張出方向はかご室の内側方向でもよい。
【００２５】
以下では、乗りかごの天井に取り付けられる要素として照明装置を述べ、それ以外の要素については特に述べないが、これは単に、説明の便宜のためである。天井の上方側のかご上には、例えば、照明制御装置、換気扇、空調装置、かご扉開閉機構、ガイドレールとの案内機構、作業領域を囲む安全柵等の要素が配置されてよい。また、以下では、簡易天井における取付金具として、２つで一対をなす左右取付金具と、２つで一対をなす前後取付金具の合計で４つの取付金具を用いるものとするが、これは説明のための例示である。簡易天井の剛性等のエレベーターの仕様によっては、２つで一対をなす左右取付金具、または、２つで一対をなす前後取付金具のいずれか一方の合計で２つの取付金具を用いるものとしてよい。
【００２６】
以下で述べる形状、材質、締結部材の数等は、説明のための例示であって、エレベーターかご室の簡易天井の仕様等に合わせ、適宜変更が可能である。以下では、全ての図面において同様の要素には同一の符号を付し、重複する説明を省略する。
【００２７】
図１は、エレベーターかご室の簡易天井５０の取付対象となる従来天井４０を有する乗りかご９を示す図である。図２は、エレベーターかご室の簡易天井５０を有する乗りかご１０を示す図である。以下では、特に断らない限り、エレベーターかご室の従来天井４０を、従来天井４０と呼び、エレベーターかご室の簡易天井５０を、簡易天井５０と呼ぶ。図１、図２の各図において、（ａ）は、上面図であり、（ｂ）は、（ａ）のＢ−Ｂ線に沿った断面図である。
【００２８】
乗りかご９，１０は、図示しない建物を縦方向に縦貫する昇降路内を昇降する乗客運搬装置であるエレベーターにおいて、乗客を乗せるかご部分である。乗りかご９，１０は、乗客を収容するかご室体１２、かご室体１２を下方側から支持する下枠１４、かご室体１２の頂部に配置される天井部３０を含む。乗りかご９における天井部３０は、従来天井４０であり、乗りかご１０における天井部３０は、従来天井４０と簡易天井５０との複合体である。
【００２９】
図１，２において、直交する上下方向と奥行方向と幅方向とを示す。上下方向は、昇降路が延びる方向であり、乗りかご９，１０の昇降方向である。建物の上層階に向かう方向が上方側で、下層階に向かう方向が下方側である。上下方向に沿った上下寸法はＨを付して示す。奥行方向は、建物の乗場から昇降路へ向かう方向に平行な方向であり、乗りかご９，１０においてかご扉が設けられる乗場方向を前側、乗場方向と反対方向を後側と呼ぶ。奥行方向に沿った奥行寸法はＬを付して示す。幅方向は、建物の乗場から乗りかご９，１０を見て、左方が左側方向で、右方が右側方向である。幅方向に沿った幅寸法はＷを付して示す。以下の図においても同様である。
【００３０】
かご室体１２は、床部１６、側壁部１８を含んで構成される。床部１６、側壁部１８、天井部３０とで囲まれた空間が乗客を収容するかご室２０の室内空間である。側壁部１８は、かご室２０の室内空間を囲む複数のパネル体で構成され、頂部外周部において外側に張り出すフランジ部２２を備える。フランジ部２２と天井部３０とは、複数の締結部材で締結される。図１、図２の例では、締結部材の数は１２個である。締結部材としては、締結ボルト３２及びナット３４を用いる。締結ボルト３２は、六角形の頭部３１と、先端側におねじ部を備える軸部３３とを有する。おねじ部の山径である外径をｄ３３と示す。ナット３４は、締結ボルト３２のおねじ部に噛合うめねじ部を有する。天井部３０の左端から測った締結ボルト３２の配置位置、及び、右端から測った締結ボルト３２の配置位置は、それぞれＷ３２である。天井部３０の前端から測った締結ボルト３２の配置位置、及び、後端から測った締結ボルト３２の配置位置は、それぞれＬ３２である。ここで、Ｗ３２＝Ｌ３２である。
【００３１】
乗りかご９，１０において、かご室２０の平面形状は正方形である。すなわち、かご室２０の奥行寸法をＬ２０、幅寸法をＷ２０とすると、Ｌ２０＝Ｗ２０である。フランジ部２２は、かご室２０から外側に外周方向に沿って一定の張出量で張り出す。乗りかご９，１０における平面形状は、正方形である。すなわち、乗りかご９，１０における平面形状の奥行寸法は、奥行方向に沿ったフランジ部２２の張出量をＬ２２として、（Ｌ２０＋Ｌ２２＋Ｌ２２）である。同様に、乗りかご９，１０における平面形状の幅寸法は、幅方向に沿ったフランジ部２２の張出量をＷ２２として、（Ｗ２０＋Ｗ２２＋Ｗ２２）である。Ｌ２０＝Ｗ２０であり、Ｌ２２＝Ｗ２２であるので、（Ｌ２０＋Ｌ２２＋Ｌ２２）＝（Ｗ２０＋Ｗ２２＋Ｗ２２）である。
【００３２】
従来天井４０は、金属板の外周辺を枠状に折り曲げて剛性を高めたパネル板で構成される。金属板としては、鉄板が用いられる。外周辺を枠状に折り曲げる手順の一例は、素材鉄板を正方形に成形し、その四辺のそれぞれを上方側に折り曲げ、折り曲げた部分について所定のパネル高さの位置で、正方形の内側にさらに折り曲げ、枠状に所定の幅のフランジ部分４２を成形する。従来天井４０の最上面のフランジ部分４２の所定の幅寸法は、乗りかご９の側壁部１８の頂部におけるフランジ部２２の張出量である（Ｗ２２＝Ｌ２２）と同じでよい。
【００３３】
かご室２０に向い合う従来天井４０のパネル板の下面には、かご室２０の天井の意匠を高めるために、適当な化粧板が張られる。従来天井４０は、平面形状の中央部にかご室２０用の照明装置４４を有する。照明装置４４は、従来天井４０のパネル板に照明光用の開口部を設け、適当な電気的絶縁材を介して取り付けられる。図１（ｂ）において、かご室２０において床部１６から従来天井４０の下面までの上下寸法である天井高さをＨ２０と示す。従来天井４０の下面は、フランジ部２２の上面で支持されるので、乗りかご９における天井高さＨ２０は、床部１６からフランジ部２２の上面までの上下寸法である。
【００３４】
図２に示す乗りかご１０においては、側壁部１８の頂部外周部におけるフランジ部２２と、従来天井４０との間に、簡易天井５０が挟まれて、これらは、複数の締結部材で互いに固定される。締結部材は、図１の従来天井４０をフランジ部２２に締結したものと同じである。乗りかご９，１０において締結部材を共用するために、締結ボルト３２のおねじ部を含む軸部３３は、簡易天井５０を挟む場合に適した長さに設定される。
【００３５】
［第１の実施形態］簡易天井５０は、簡易天井本体部６０と、簡易天井本体部６０を保持しながら簡易天井本体部６０の端部から外側に張り出す４つの取付金具７２，７４，７６，７８を含んで構成される。４つの取付金具７２，７４，７６，７８は、簡易天井本体部６０に対しスライド可能である。このため、簡易天井本体部６０と４つの取付金具７２，７４，７６，７８の相対関係によって、簡易天井５０は３つの状態を取り得る。１つ目の状態は、簡易天井本体部６０と４つの取付金具７２，７４，７６，７８とが空間的に分離している状態で、これを、分離状態簡易天井５２と呼ぶ。２つ目の状態は、４つの取付金具７２，７４，７６，７８に簡易天井本体部６０が押し込まれ、簡易天井５０の平面形状として最も小さくなった状態で、これを押込状態簡易天井５４と呼ぶ。３つ目の状態は、４つの取付金具７２，７４，７６，７８が簡易天井本体部６０を保持しながら簡易天井本体部６０の両端側から外側に張り出している状態で、これを張出状態簡易天井５６と呼ぶ。
【００３６】
乗りかご１０において、フランジ部２２と従来天井４０との間に挟まれている簡易天井５０は、４つの取付金具７２，７４，７６，７８が簡易天井本体部６０を保持しながら簡易天井本体部６０の両端側から外側に張り出している張出状態簡易天井５６である。張出状態簡易天井５６においては、４つの取付金具７２，７４，７６，７８が簡易天井本体部６０から張り出している張出部分がフランジ部２２の上面に配置される。したがって、乗りかご１０における簡易天井５０の天井高さは、かご室２０における床部１６からフランジ部２２の上面までの上下寸法となり、乗りかご９における天井高さＨ２０と同じである。
【００３７】
図２（ｂ）に、分離状態簡易天井５２と押込状態簡易天井５４を参考として二点鎖線で示す。分離状態簡易天井５２において、簡易天井本体部６０は、かご室２０内を上下方向に移動可能な大きさを有する。また、押込状態簡易天井５４も、かご室２０内を上下方向に移動可能な大きさを有する。
【００３８】
以下において、簡易天井５０の３つの状態である分離状態簡易天井５２、押込状態簡易天井５４、及び、張出状態簡易天井５６の構成について、図３から図６を用いて詳細に説明する。
【００３９】
図３は、分離状態簡易天井５２の構成図である。簡易天井５０は、簡易天井本体部６０と、４つの取付金具７２，７４，７６，７８で構成されるが、分離状態簡易天井５２は、これらが互いに空間的に分離した状態である。図３（ａ）は、下面図であり、（ｂ）は、（ａ）におけるＢ−Ｂ線に沿った断面図であり、（ｃ）は、（ａ）におけるＣ−Ｃ線に沿った断面図である。
【００４０】
簡易天井本体部６０は、従来天井４０と同様に、金属板の外周辺を枠状に折り曲げて剛性を高めたパネル板で構成される。金属板としては、鉄板が用いられる。外周辺を枠状に折り曲げる手順の一例は、素材鉄板を正方形に成形し、その四辺のそれぞれを上方側に折り曲げ、折り曲げた部分について所定のパネル高さの位置で、正方形の内側にさらに折り曲げ、枠状に所定の幅のフランジ部分６１を成形する。簡易天井本体部６０の最上面となるフランジ部分６１の所定の幅寸法は、取付金具７２，７４，７６，７８がスライドするのに適した大きさに設定される。簡易天井本体部６０の幅寸法Ｗ６０は、奥行寸法Ｌ６０と同じである。簡易天井本体部６０のパネル板の板厚をｔ６０、簡易天井本体部６０の上下方向の上下寸法をＨ６０と示す。
【００４１】
簡易天井本体部６０は、２つの部分天井部６２，６４に分割される。２つの部分天井部６２，６４もパネル板で構成される。図３の例では、簡易天井本体部６０の奥行方向に沿った中心線であるＣ−Ｃ線を挟んで、左側の部分天井部６２と右側の部分天井部６４に分割される。乗りかご１０に簡易天井５０を取付ける方法については後述するが、押込状態簡易天井５４または簡易天井本体部６０をかご室２０で持ち上げる作業が行われる。簡易天井本体部６０を２つに分割することで、押込状態簡易天井５４または簡易天井本体部６０を持ち上げる作業を２回に分けて行うことができ、作業員の負荷が軽減される。
【００４２】
例えば、簡易天井本体部６０を持ち上げる作業の場合、作業員は、部分天井部６２を持ち上げて所定の取付作業を行い、次に、部分天井部６４を持ち上げて所定の取付作業を行う。その後に部分天井部６２と部分天井部６４を結合する作業を行って、簡易天井本体部６０を一体化する。２つの部分天井部６２，６４を結合する方法としては、ボルトとナットを用いた締結手段を用いる。例えば、パネル板である部分天井部６２，６４のＣ−Ｃ線上で向い合う側壁をボルトとナットで締結して一体化し、１つの簡易天井本体部６０とする。なお、簡易天井本体部６０の総質量が作業員一人で容易に持ち上げる程度である場合には、簡易天井本体部６０を分割する必要はない。押込状態簡易天井５４の場合も同様である。
【００４３】
かご室２０に向い合う簡易天井本体部６０のパネル板の下面には、かご室２０の天井の意匠を高めるために、適当な化粧板が張られる。簡易天井本体部６０は、下面側に照明装置６５を備える。従来天井４０から簡易天井５０へのモダニゼーションに伴って、例えば、従来天井４０の照明装置４４が１つのボックス型の蛍光灯方式であったのが、簡易天井５０の照明装置６５は複数の照明ブロックに分けられたＬＥＤ（Ｌｉｇｈｔ  Ｅｍｉｔｔｉｎｇ  Ｄｅｖｉｃｅ）方式に変更される。これは説明のための例示であって、ＬＥＤ以外の照明方式でもよい。図３の例では、照明装置６５は、簡易天井本体部６０の中央部に４つの照明ブロック６６，６７，６８，６９に分けて配置される。
【００４４】
４つの照明ブロック６６，６７，６８，６９は、簡易天井本体部６０のパネル板に照明光用の開口部を設け、適当な電気的絶縁材を介して取り付けられる。照明装置６５の４つの照明ブロック６６，６７，６８，６９からの配線７０は、簡易天井本体部６０のパネル板の上面上に適当に配置されて右側に沿って延び、パネル板の右端壁に設けられた図示しない引出穴から簡易天井本体部６０の外側に引き出される。後述する押込状態簡易天井５４、張出状態簡易天井５６では、簡易天井本体部６０の右端側には取付金具７４がスライド可能として配置されるので、取付金具７４には、配線７０を通す引出穴７１が設けられる。配線７０は引出穴７１から簡易天井５０の外側に出て、図示しない照明制御装置に接続される。照明制御装置は、かご上に設置される。照明ブロックの数は説明のための例示であって、４以外の照明ブロック数でもよい。
【００４５】
照明装置６５の４つの照明ブロック６６，６７，６８，６９は、簡易天井本体部６０のパネル板の下面から下方側に突出してもよいが、突出する場合の突出量は、乗りかご１０の天井高さＨ２０を守るために小さい値に制限される。すなわち、簡易天井本体部６０において下面側に突出した照明装置６５の下面位置は、床部１６から測って、従来天井４０を有する乗りかご９における天井高さＨ２０と同じに設定される。これによって、図２（ｂ）に示される簡易天井５０を有する乗りかご１０における天井高さは、図１（ｂ）に示される乗りかご９における天井高さＨ２０と同じになる。
【００４６】
分離状態簡易天井５２は、４つの取付金具７２，７４，７６，７８を備える。後述する押込状態簡易天井５４、張出状態簡易天井５６において、取付金具７２は、簡易天井本体部６０の左端側にスライドして配置され、取付金具７４は、簡易天井本体部６０の右端側にスライドして配置される。また、取付金具７６は、簡易天井本体部６０の前端側にスライドして配置され、取付金具７８は、簡易天井本体部６０の後端側にスライドして配置される。４つの取付金具７２，７４，７６，７８を用いることで、簡易天井本体部６０に対して前後左右の４方向を保持でき、乗りかご１０のフランジ部２２と従来天井４０との間に簡易天井５０をしっかりと固定できる。
【００４７】
簡易天井５０の剛性が十分大きいときは、４つよりも少ない数の取付金具で済む場合がある。その場合でも、簡易天井本体部６０に対して向かい合う一方端側と他方端側とで保持することが好ましい。簡易天井本体部６０の一方端側でスライド可能な取付金具を一方取付金具と呼び、他方端側でスライド可能な取付金具を他方取付金具と呼ぶと、一方取付金具と他方取付金具の２つで一対をなす取付金具で簡易天井本体部６０を保持することがよい。簡易天井本体部６０の両端側としては、幅方向の両端側である左右端側と、奥行方向の両端側である前後端側とがある。そこで、簡易天井本体部６０の幅方向の左右端側にスライド可能な２つの取付金具を、２つで一対をなす左右取付金具と呼び、簡易天井本体部６０の奥行方向の前後端側にスライド可能な２つの取付金具を、２つで一対をなす前後取付金具と呼ぶ。４つよりも少ない数の取付金具を用いる場合は、２つで一対をなす左右取付金具、または２つで一対をなす前後取付金具を用いることが好ましい。
【００４８】
図３において、２つで一対をなす左右取付金具は、簡易天井本体部６０の幅方向の一方端を左端、他方端を右端として、左取付金具７２と右取付金具７４とで構成される。同様に、２つで一対をなす前後取付金具は、簡易天井本体部６０の奥行方向の一方端を前端、他方端を後端として、前取付金具７６と後取付金具７８とで構成される。
【００４９】
一対をなす左右取付金具７２，７４は、図３においてＣ−Ｃ線に対し対称に配置され、形状としては同じであるので、右取付金具７４について主に説明し、左取付金具７２については右取付金具７４と異なる箇所を中心に述べる。
【００５０】
右取付金具７４は、簡易天井本体部６０の板厚ｔ６０に比較して薄い板厚ｔ７４を有する金属板を用い、断面形状でコの字形状に折り曲げ形成した部材である。図３（ｂ）に示すように、右取付金具７４は、上板部９０、上板部９０と所定の間隔Ｇ７４を空けて配置された下板部９２、及び上板部９０の一方端である右端と下板部９２の一方端である右端とを一体化して接続する縦板部９４を含む。右取付金具７４の他方側である左端は、上板部９０の下面と下板部９２の上面との間の開口部で、開口部の上下寸法である所定の間隔Ｇ７４は、簡易天井本体部６０の上下寸法Ｈ６０よりも大きめに設定される。これによって簡易天井本体部６０は、右取付金具７４における上板部９０の下面と下板部９２の上面との間でスライド可能になる。右取付金具７４の上下寸法Ｈ７４は、（Ｇ７４＋ｔ７４＋ｔ７４）である。
【００５１】
右取付金具７４の奥行寸法Ｌ７４は、簡易天井本体部６０の奥行寸法Ｌ６０と同じに設定される。右取付金具７４の幅寸法Ｗ７４は、かご室２０の側壁部１８の頂部外周部のフランジ部２２の幅寸法Ｗ２２よりも大きい寸法に設定される。これにより、右取付金具７４を簡易天井本体部６０に対し左側方向にスライドさせた場合に、右取付金具７４は、簡易天井本体部６０の右端側を保持しつつ、簡易天井本体部６０の右端よりも右側に張り出すことができる。幅寸法Ｗ７４、保持寸法、スライド移動量の関係の詳細については、図５において後述する。
【００５２】
右取付金具７４は、幅方向の右端に溝開口部を有する４つの切欠溝８４を有する。切欠溝８４は、簡易天井５０を取付ける場合において右取付金具７４を幅方向に移動させる際に、天井部３０の締結部材である締結ボルト３２の軸部３３を案内する案内溝として働く。切欠溝８４の溝幅ｄ８４は、右取付金具７４が幅方向に沿って移動したときに、締結ボルト３２の軸部３３と干渉しない寸法に設定される。すなわち、（溝幅ｄ８４）＞（軸部３３の外径ｄ３３）である。切欠溝８４の溝長さＷ８４は、右取付金具７４における幅方向の右端部の開口部から幅方向の左側に延びる平行溝の部分の長さと、その先の｛（溝幅ｄ８４）／２｝の半円部の半径との和である。半円部の中心位置は、右取付金具７４の右端から測って、ＷＦである。ＷＦは、図１（ａ）で述べた締結ボルト３２の天井部３０の右端から測った配置位置であるＷ３２と同じ寸法に設定される。ＷＦ＝Ｗ３２に設定することで、簡易天井５０を天井部３０に配置する場合に、右取付金具７４の切欠溝８４の半円部の中心位置に締結ボルト３２の軸部３３が配置される。
【００５３】
左取付金具７２は、右取付金具７４と同様に、簡易天井本体部６０の板厚ｔ６０に比較して薄い板厚ｔ７２を有する金属板を断面形状でコの字形状に折り曲げ形成した部材である。板厚ｔ７２は右取付金具７４の板厚ｔ７４と同じである。コの字形状を有する左取付金具７２の右端における開口部は、右取付金具７４と同じ所定の間隔Ｇ７４を有する。左取付金具７２の上下寸法は、右取付金具７４のＨ７４と同じである。左取付金具７２の奥行寸法Ｌ７２は、右取付金具７４の奥行寸法Ｌ７４と同じである。したがって、Ｌ６０＝Ｌ７２＝Ｌ７４となる。左取付金具７２の幅寸法Ｗ７２は、右取付金具７４の幅寸法Ｗ７４と同じである。左取付金具７２は、幅方向の左端に溝開口部を有する４つの切欠溝８２を有する。切欠溝８２の溝幅は、右取付金具７４の切欠溝８４の溝幅ｄ８４と同じである。切欠溝８２の溝長さＬ８２は、右取付金具７４の切欠溝８４の溝長さＷ８４と同じである。切欠溝８２の半円部の中心位置は、左取付金具７２の左端から測ってＷＦである。右取付金具７４には、照明装置６５からの配線７０を通す引出穴７１を有するが、左取付金具７２には配線７０を通す引出穴は設けられない。これは、説明のための例示であって、照明装置６５からの配線７０を簡易天井本体部６０のパネル板上で左側に向かって配置し、左取付金具７２に配線７０を通す引出穴７１を設けてもよい。
【００５４】
一対をなす前後取付金具７６，７８は、図３においてＢ−Ｂ線に対し対称に配置され、形状としては同じであるので、後取付金具７８について主に説明し、前取付金具７６については、簡単に述べる。
【００５５】
後取付金具７８は、簡易天井本体部６０の板厚ｔ６０に比較して薄い板厚ｔ７８を有する金属板を用い、断面形状でコの字形状に折り曲げ形成した部材である。図３（ｃ）に示すように、後取付金具７８は、上板部１００、上板部１００と所定の間隔Ｇ７８を空けて配置された下板部１０２、及び上板部１００の一方端である後端と下板部１０２の一方端である後端とを一体化して接続する縦板部１０４を含む。後取付金具７８の他方端である前端は、上板部１００の下面と下板部１０２の上面との間の開口部で、開口部の上下寸法である所定の間隔Ｇ７８は、簡易天井本体部６０の上下寸法Ｈ６０よりも大きめに設定される。これによって簡易天井本体部６０は、後取付金具７８の上板部１００の下面と下板部１０２の上面との間でスライド可能になる。後取付金具７８の上下寸法Ｈ７８は、（Ｇ７８＋ｔ７８＋ｔ７８）である。Ｇ７８はＧ７４と同じに設定され、板厚ｔ７８は、板厚ｔ７４と同じに設定されるので、後取付金具７８の上下寸法Ｈ７８は、右取付金具７４の上下寸法Ｈ７４と同じである。
【００５６】
後取付金具７８の幅寸法Ｗ７８は、簡易天井本体部６０の幅寸法Ｗ６０よりも短く設定される。Ｗ７８の設定については、押込状態簡易天井５４に関連させて後述する。後取付金具７８の奥行寸法Ｌ７８は、かご室２０の側壁部１８の頂部外周部のフランジ部２２の奥行寸法Ｌ２２よりも大きい寸法に設定される。これにより、後取付金具７８を簡易天井本体部６０に対し奥行方向の前側にスライドさせた場合に、後取付金具７８は、簡易天井本体部６０の後端側を保持しつつ、簡易天井本体部６０の後端よりも後側に張り出すことができる。この働きは、右取付金具７４幅方向の左側にスライドさせる働きと同じであるので、後取付金具７８の奥行寸法Ｌ７８は、右取付金具７４の幅寸法Ｗ７４と同じに設定される。
【００５７】
後取付金具７８は、奥行方向の後端に溝開口部を有する２つの切欠溝８８を有する。切欠溝８８は、簡易天井５０を取付ける場合において後取付金具７８を奥行方向に移動させる際に、天井部３０の締結部材である締結ボルト３２の軸部３３を案内する案内溝として働く。この働きは、右取付金具７４で述べた働きと同じであるので、切欠溝８８の溝幅ｄ８８は、右取付金具７４の切欠溝８４の溝幅ｄ８４と同じであり、切欠溝８８の溝長さは、右取付金具７４の切欠溝８４の溝長さＷ８４と同じである。切欠溝８８の半円部の中心位置は、後取付金具７８の後端から測って、ＬＦである。ＬＦは、図１（ａ）で述べた天井部３０の後端から測った締結ボルト３２の配置位置であるＬ３２と同じ寸法に設定される。ＬＦ＝Ｌ３２に設定することで、簡易天井５０を天井部３０に配置する場合に、後取付金具７８の切欠溝８８の半円部の中心位置に締結ボルト３２の軸部３３が配置される。Ｌ３２＝Ｗ３２であるので、ＬＦ＝ＷＦである。
【００５８】
前取付金具７６は、簡易天井本体部６０の板厚ｔ６０に比較して薄い板厚ｔ７６を有する金属板を用い、断面形状でコの字形状に折り曲げ形成した部材であり、形状としては後取付金具７８と同じである。すなわち、板厚ｔ７６は、後取付金具７８の板厚ｔ７８と同じで、前取付金具７６の幅寸法Ｗ７６は、後取付金具７８の幅寸法Ｗ７８と同じで、前取付金具７６の奥行寸法Ｌ７６は、後取付金具７８の奥行寸法Ｌ７８と同じである。前取付金具７６は、奥行方向の前端に溝開口部を有する２つの切欠溝８６を有する。前取付金具７６の前端から測った切欠溝８６の半円部の中心位置は、後取付金具７８と同じＬＦである。前取付金具７６についてのこれ以上の詳細な説明は省略する。
【００５９】
図４は、押込状態簡易天井５４を示す図である。簡易天井５０は、簡易天井本体部６０と、２つで一対の左右取付金具、及び、２つで一対の前後取付金具の合計４つの取付金具で構成される。押込状態簡易天井５４は、左右取付金具について述べれば、左取付金具７２をスライドさせてその縦板部９４を簡易天井本体部６０の左端に当接させ、右取付金具７４をスライドさせてその縦板部９４を簡易天井本体部６０の右端に当接させた状態である。また、前後取付金具について述べると、前取付金具７６の縦板部１０４を簡易天井本体部６０の前端に当接させ、後取付金具７８の縦板部１０４を簡易天井本体部６０の後端に当接させた状態である。押込状態簡易天井５４は、簡易天井５０の３つの状態の内で、平面形状が最も小さくなる状態である。図４（ａ）は、下面図であり、（ｂ）は、（ａ）におけるＢ−Ｂ線に沿った断面図であり、（ｃ）は、（ａ）におけるＣ−Ｃ線に沿った断面図である。
【００６０】
図４（ｂ）に示すように、押込状態簡易天井５４の幅寸法Ｗ５４は、｛（簡易天井本体部６０の幅寸法Ｗ６０）＋（左取付金具７２の板厚ｔ７２）＋（右取付金具７４の板厚ｔ７４）｝である。また、図４（ｃ）に示すように、押込状態簡易天井５４の奥行寸法Ｌ５４は、｛（簡易天井本体部６０の奥行寸法Ｌ６０）＋（前取付金具７６の板厚ｔ７６）＋（後取付金具７８の板厚ｔ７８）｝である。板厚について、ｔ７２＝ｔ７４＝ｔ７６＝ｔ７８であるので、押込状態簡易天井５４の幅寸法Ｗ５４は奥行寸法Ｌ５４と同じである。押込状態簡易天井５４の上下寸法Ｈ６４は｛（簡易天井本体部６０の上下寸法Ｈ６０）＋（板厚ｔ７２）＋（板厚ｔ７４）｝である。左取付金具７２の上下寸法Ｈ７２、右取付金具７４の上下寸法Ｈ７４、前取付金具７６の上下寸法Ｈ７６、後取付金具７８の上下寸法Ｈ７８は、Ｈ６４と同じである。
【００６１】
押込状態簡易天井５４が、簡易天井本体部６０に対し、幅寸法で（ｔ７２＋ｔ７２）だけ大きくて済み、奥行寸法で（ｔ７２＋ｔ７２）だけ大きくて済むためには、図４（ａ）に示す配置関係が必要である。すなわち、前取付金具７６の幅寸法Ｗ７６、及び、後取付金具７８の幅寸法Ｗ７８は、簡易天井本体部６０の幅寸法Ｗ６０よりも短く設定される。図３で述べたように、Ｗ７６＝Ｗ７８である。そして、図４（ａ）に示すように、押込状態簡易天井５４の幅寸法Ｗ６４は、［（左取付金具７２の幅寸法Ｗ７２）＋（右取付金具７４の幅寸法Ｗ７４）＋（Ｗ７６またはＷ７８）］よりも、わずかに大きい。その差は、左取付金具７２、右取付金具７４、前取付金具７６、後取付金具７８をそれぞれ簡易天井本体部６０に対してスライドさせた場合に、互いに干渉せずに押込状態簡易天井５４にするための余裕寸法である。一例を挙げると、余裕寸法は数ｍｍである。したがって、前取付金具７６の幅寸法Ｗ７６、及び、後取付金具７８の幅寸法Ｗ７８は、［Ｗ６４−（Ｗ７２＋Ｗ７４）−（余裕寸法）］として求められる大きさに設定される。
【００６２】
簡易天井本体部６０に照明装置６５を設ける場合に、照明装置６５は簡易天井本体部６０のパネル板の下面から下方側に突出してもよいが、突出させる場合は、スライドする４つの取付金具７２，７４，７６，７８と干渉しないようにする必要がある。４つの取付金具７２，７４，７６，７８の簡易天井本体部６０に対するスライド移動量が最大になる状態は、押込状態簡易天井５４の状態である。したがって、押込状態簡易天井５４の平面図において、４つの取付金具７２，７４，７６，７８に囲まれた領域に、照明装置６５の４つの照明ブロック６６，６７，６８，６９のすべてを配置すればよい。その意味で、押込状態簡易天井５４の平面図において、４つの取付金具７２，７４，７６，７８に囲まれた領域は、簡易天井本体部６０のパネル板の下面から下方側に突出する部分を有する照明装置６５の配置領域である。
【００６３】
このように、押込状態簡易天井５４において、４つの取付金具７２，７４，７６，７８に囲まれた領域に照明装置６５を配置することで、照明装置６５と４つの取付金具７２，７４，７６，７８との干渉問題は生じない。これに代えて、簡易天井本体部６０に対してスライド可能な取付金具に照明装置６５を一体化して設けてもよい。照明装置６５が少なくとも１つの照明ブロックを含む場合には、すべての照明ブロックを、左取付金具７２、右取付金具７４、前取付金具７６または後取付金具７８のいずれかに一体化して設ければよい。この構成によっても照明装置６５と４つの取付金具７２，７４，７６，７８との干渉問題は生じない。
【００６４】
図５は、張出状態簡易天井５６を示す図である。張出状態簡易天井５６の状態は、分離状態簡易天井５２と押込状態簡易天井５４との中間の状態である。すなわち、４つの取付金具７２，７４，７６，７８は、簡易天井本体部６０の左右端側及び前後端側を保持しながら、簡易天井本体部６０の左右端及び前後端から外側に張り出した状態である。図５（ａ）は、下面図であり、（ｂ）は、（ａ）におけるＢ−Ｂ線に沿った断面図であり、（ｃ）は、（ａ）におけるＣ−Ｃ線に沿った断面図である。
【００６５】
広義では、張出状態簡易天井５６の幅寸法と奥行寸法は、４つの取付金具７２，７４，７６，７８が簡易天井本体部６０の左右端及び前後端から外れる限度以内であれば伸ばすことが可能である。ここで、乗りかご１０に配置される場合には、従来天井４０の幅寸法と奥行寸法に合わせる。すなわち、図２を参照して、張出状態簡易天井５６の幅寸法Ｗ５６は、従来天井４０の幅寸法Ｗ４０＝（Ｗ２０＋Ｗ２２＋Ｗ２２）に設定される。張出状態簡易天井５６の奥行寸法Ｌ５６は、従来天井４０の奥行寸法Ｌ４０＝（Ｌ２０＋Ｌ２２＋Ｌ２２）と同じに設定される。Ｗ２０＝Ｌ２０，Ｗ２２＝Ｌ２２であるので、張出状態簡易天井５６の幅寸法Ｗ５６と奥行寸法Ｌ５６は同じである。
【００６６】
図５（ｂ）には、簡易天井本体部６０の左端部に対し左取付金具７２を左側にスライドさせ、右端部に対し右取付金具７４を右側にスライドさせて、張出状態簡易天井５６の幅寸法Ｗ５６を（Ｗ２０＋Ｗ２２＋Ｗ２２）とした状態が示される。図５（ｂ）において、左取付金具７２のスライド移動量Ｍ７２と右取付金具７４のスライド移動量Ｍ７４を示す。スライド移動量Ｍ７２，Ｍ７４は、押込状態簡易天井５４における左取付金具７２及び右取付金具７４の状態からの幅方向の移動量として計算する。スライド移動量Ｍ７２，Ｍ７４は、次のようにして求められる。
【００６７】
簡易天井本体部６０の幅寸法Ｗ６０はかご室２０を上下方向に移動可能であるので、かご室２０の幅寸法Ｗ２０と簡易天井本体部６０の幅寸法Ｗ６０の差を（ＳＰ０＋ＳＰ０）とする。ＳＰ０は、簡易天井本体部６０をかご室２０に配置した場合に、かご室２０の側壁部１８の内壁面と簡易天井本体部６０の左右端部との間に生じる隙間である（なお、図２参照）。すなわち、Ｗ２０＝（Ｗ６０＋ＳＰ０＋ＳＰ０）である。したがって、張出状態簡易天井５６の幅寸法Ｗ５６は、Ｗ５６＝（Ｗ２０＋Ｗ２２＋Ｗ２２）＝[Ｗ６０＋（Ｗ２２＋ＳＰ０）＋（Ｗ２２＋ＳＰ０）]となる。図５（ｂ）に示すように、（Ｗ２２＋Ｓ０）＝（Ｍ７２＋ｔ７２）＝（Ｍ７４＋ｔ７４）である。これらから、Ｗ５６＝Ｗ２０＋Ｗ２２＋Ｗ２２）＝｛Ｗ６０＋（Ｍ７２＋ｔ７２）＋（Ｍ７４＋ｔ７４）｝となる。この関係式から、Ｗ２０，Ｗ２２，Ｗ６０，ｔ７２＝ｔ７４を予め設定することで、スライド移動量Ｍ７２＝Ｍ７４を求めることができる。
【００６８】
Ｍ７２＝Ｍ７４が決まれば、図５（ｂ）に示すように、左取付金具７２の幅寸法Ｗ７２は、Ｗ７２＝（Ｃ７２＋Ｍ７２＋ｔ７２）から求められ、右取付金具７４の幅寸法Ｗ７４は、Ｗ７４＝（Ｃ７４＋Ｍ７４＋ｔ７４）から求められる。ここで、Ｃ７２は、簡易天井本体部６０が左端部で左取付金具７２によって保持される幅寸法であり、Ｃ７４は、簡易天井本体部６０が右端部で右取付金具７４によって保持される幅寸法である。Ｃ７２とＣ７４は、簡易天井本体部６０を両端部で保持したときの撓み量に関係し、簡易天井本体部６０の大きさや剛性によって予め定められる。なお、保持の対称性のために、Ｃ７２＝Ｃ７４に設定される。（Ｃ７２＝Ｃ７４）の大きさを予め設定することで、Ｗ７２，Ｗ７４が求められる。このようにして、左取付金具７２のスライド移動量Ｍ７２，右取付金具７４のスライド移動量Ｍ７４，左取付金具７２の幅寸法Ｗ７２、右取付金具７４の幅寸法Ｗ７４の設定が行われる。
【００６９】
図５（ｃ）には、簡易天井本体部６０に対し前取付金具７６を前側にスライドさせ、後取付金具７８を後側にスライドさせて、張出状態簡易天井５６の奥行寸法Ｌ５６を（Ｌ２０＋Ｌ２２＋Ｌ２２）とした状態が示される。図５（ｃ）において、前取付金具７６のスライド移動量Ｍ７６と後取付金具７８のスライド移動量Ｍ７８とを示す。また、簡易天井本体部６０が前端部で前取付金具７６によって保持される幅寸法Ｃ７６と、簡易天井本体部６０が後端部で後取付金具７８によって保持される幅寸法Ｃ７８を示す。保持の対称性のために、Ｃ７６＝Ｃ７８に設定される。
【００７０】
前取付金具７６のスライド移動量Ｍ７６と後取付金具７８のスライド移動量Ｍ７８、前取付金具７６の奥行寸法Ｌ７６と後取付金具７８の奥行寸法Ｌ７８も、図５（ｂ）で述べた算出方法を用いて、同様に決定と設定を行うことができる。Ｌ７６＝Ｌ７８は、Ｗ７２＝Ｗ７４と同じであり、ｔ７６＝ｔ７８は、ｔ７２＝ｔ７４と同じであるので、Ｍ７６＝Ｍ７８は、Ｍ７２＝Ｍ７４と同じになり、Ｃ７６＝Ｃ７８は、Ｃ７２＝Ｃ７４と同じになる。
【００７１】
簡易天井本体部６０に設ける照明装置６５について簡易天井本体部６０のパネル板の下面から下方側に突出させるには、押込状態簡易天井５４において４つの取付金具７２，７４，７６，７８に囲まれた領域に照明装置６５を配置する必要がある。照明装置６５が簡易天井本体部６０のパネル板の下面から下方側に突出しない場合には、押込状態簡易天井５４において照明装置６５と４つの取付金具７２，７４，７６，７８の間の干渉問題が生じない。その場合でも、張出状態簡易天井５６において照明装置６５が４つの取付金具７２，７４，７６，７８の背後に隠れると十分な照明が行われない。したがって、照明装置６５が簡易天井本体部６０のパネル板の下面から下方側に突出しない場合でも、張出状態簡易天井５６において、４つの取付金具７２，７４，７６，７８に囲まれた領域内に照明装置６５を配置する必要がある。
【００７２】
次に、第１の実施形態の簡易天井５０について、エレベーターかご室の簡易天井取付方法を述べる。エレベーターかご室の簡易天井取付方法は、エレベーターかご室のモダニゼーションにおいて、かご室２０の天井の改修を行う方法であるが、チェーン等を用いる天井持上げ及び撤去作業を行わずにすむ方法である。図６は、エレベーターかご室の簡易天井取付方法の手順を示すフローチャートである。この方法では、まず、かご室２０の頂部外周部のフランジ部２２と従来天井４０を固定している締結部材を緩める（Ｓ１０）。締結部材を緩めるにあたっては、従来天井４０を取り外さない程度とする。次に、従来天井４０を上方側に押し上げる（Ｓ２０）。押し上げによってフランジ部２２と従来天井４０との間に隙間が形成されるので、その隙間に簡易天井５０を配置し（Ｓ３０）、緩めた締結部材を締め付けて（Ｓ４０）、簡易天井５０をフランジ部２２と従来天井４０とで挟んで固定する。
【００７３】
図７は、さらに詳細な手順を示すフローチャートである。図８，９，１１，１２は、図７の手順の内容を示す乗りかご１０の断面図である。図１０は、図９のＸ方向から上方側を見た図を用いて、かご室２０、押込状態簡易天井５４、及び、締結ボルト３２との関係を示す図である。
【００７４】
簡易天井５０を取付ける対象は、図１で述べた従来天井４０を有する乗りかご９である。図７において最初の手順は、図６におけるＳ１０の締結部材緩め工程である。ここでは、乗りかご９のかご室２０を形成する側壁部１８の頂部外周部におけるフランジ部２２と従来天井４０とを締結している締結部材を緩めて（Ｓ１０）、従来天井４０を上方側に移動可能にする。この工程の手順は、乗りかご９のかご上で作業員が行う。図４で述べたように、締結部材としての締結ボルト３２とナット３４はそれぞれ１２個あるので、これらをすべて緩める。締結ボルト３２を緩める際に、おねじ部の先端部がナット３４から外れないようにする。すなわち、締結ボルト３２のおねじ部の先端部をナット３４に噛み合わせた状態で緩めることで、フランジ部２２に対し、従来天井４０を取り外さない状態のまま、上方側に移動可能にする。
【００７５】
図８は、図１（ｂ）と同様の断面図を用い、締結ボルト３２をナット３４に対し緩めた状態を示す図である。従来天井４０は、フランジ部２２の上に自重で載っている状態である。かご上の作業員の図示は省略した。以下では、従来天井４０が上方側に移動可能になった乗りかご９を、乗りかご１０と呼ぶ。
【００７６】
図６におけるＳ２０の従来天井押上工程としては、まず、押込状態簡易天井５４を準備し、乗りかご１０の前側のかご扉からかご室２０内へ搬入する（Ｓ２１）。図５で述べたように、押込状態簡易天井５４の幅寸法Ｗ５４は、かご室２０の幅寸法Ｗ２０よりも小さく、押込状態簡易天井５４の奥行寸法Ｌ５４は、かご室２０の奥行寸法Ｌ２０よりも小さい。そこで、作業員は、かご室２０の前側のかご扉から押込状態簡易天井５４をかご室２０に搬入し、搬入された押込状態簡易天井５４を上方側に持ち上げる（Ｓ２２）。この工程の作業は、かご室２０内において行う。図９は、作業員８が、かご室２０に搬入した押込状態簡易天井５４を、かご室２０内において上方側に押し上げる工程を示す。図９では作業員８は一人であるが、二人以上で持ち上げてもよい。また、簡易天井本体部６０を二分割した部分天井部６２，６４を用いて押込状態簡易天井５４を二分割し、二回に分けて以後の作業を行うこともできる。
【００７７】
図１０は、図９のＸ方向、すなわち、かご室２０内から上方側である天井側を見た図である。作業員８の図示は省略した。押込状態簡易天井５４の平面形状は、図４（ａ）と同じである。従来天井４０、かご室２０、押込状態簡易天井５４、及び張出状態簡易天井５６の平面形状はいずれも左右前後方向について対称形であるので、以下では、幅方向の右側の部分について述べる。
【００７８】
押込状態簡易天井５４の平面形状とかご室２０の側壁部１８の内壁面との間の隙間は、右取付金具７４の板厚をｔ７４として、（ＳＰ０−ｔ７４）である。右取付金具７４の切欠溝８４の半円部の中心位置は、右取付金具７４の右端から測ってＷＦの位置であり、天井部３０における締結ボルト３２の配置位置は、従来天井４０の右端から測ってＷ３２であり、ＷＦ＝Ｗ３２に設定される。これによって、右取付金具７４の右端を従来天井４０の右端に一致するように右取付金具７４を右側にスライドさせて配置した場合に、締結ボルト３２の軸部３３が切欠溝８４に案内されて、切欠溝８４の半円部の中心位置に配置される。従来天井４０、かご室２０、押込状態簡易天井５４、及び張出状態簡易天井５６の平面形状はいずれも左右前後方向について対称形である。したがって、切欠溝８２，８６，８８のそれぞれの半円部の中心位置と締結ボルト３２の配置位置との関係は、切欠溝８４の場合と同様である。
【００７９】
図７に戻り、押込状態簡易天井５４を上方側に持ち上げて、その上面が従来天井４０の下面に接触すると、押込状態簡易天井５４を介して従来天井４０を上方に押し上げる（Ｓ２３）。この工程の作業は、Ｓ２２に引き続き、かご室２０内において行う。Ｓ１０で述べたように、締結ボルト３２の軸部３３のおねじ部は先端部でナット３４に噛み合った状態であるので、ナット３４がフランジ部２２の下面に当接するまで、従来天井４０を持ち上げることができる。締結ボルト３２のおねじ部の長さを適切に設定し、Ｓ１０における緩め量を適切にすることで、フランジ部２２の上面からの従来天井４０の押上量を、押込状態簡易天井５４の上下寸法Ｈ５４より大きめにできる。
【００８０】
図１０は、作業員８が押込状態簡易天井５４を介して従来天井４０を上方側に押し上げる工程を示す図である。従来天井４０の天井高さＨ２０は、作業員８の背丈よりも高いので、作業員８は適当な作業台６を用いる。従来天井４０の押し上げによって、フランジ部２２の上面と従来天井４０の下面との間に形成された隙間ＳＰ１は、押込状態簡易天井５４の上下寸法Ｈ５４より大きめである。
【００８１】
図６におけるＳ３０の簡易天井の配置工程としては、まず、２つで一対をなす左右取付金具である左取付金具７２と右取付金具７４、２つで一対をなす前後取付金具である前取付金具７６と後取付金具７８のそれぞれについて張出状態とする（Ｓ３１）。そして、簡易天井本体部６０を保持しながら、張出部分をかご室２０の頂部外周部におけるフランジ部２２と従来天井４０との間に配置する（Ｓ３２）。この工程の作業は、かご室２０内及びかご上において行う。かご上の作業員の図示は省略した。図１０で述べたように、フランジ部２２の上面と従来天井４０の下面との間に形成された隙間ＳＰ１は、押込状態簡易天井５４の上下寸法Ｈ５４より大きめである。これにより、押込状態簡易天井５４を左右前後方向にスライドさせ、隙間ＳＰ１に入り込ませて取付金具７２，７４，７６，７８をフランジ部２２と従来天井４０の間に配置できる。
【００８２】
取付金具７２，７４，７６，７８の配置の一例を挙げると、まず、押込状態簡易天井５４を、かご室２０の右端における隙間ＳＰ１に入り込ませて右方向にスライドさせ、押込状態簡易天井５４の右端を締結ボルト３２の軸部３３に突き当てる。ここでは簡易天井本体部６０の右端が軸部３３に突き当たるので、かご上の作業員が右取付金具７４をさらに右方向に引っ張る。右取付金具７４を右方向に引っ張ると、右取付金具７４の切欠溝８４の半円部の右端が軸部３３に当たって止まる。この状態で、右取付金具７４の右端が従来天井４０の右端と揃う。その状態から押込状態簡易天井５４を下方側に下げると従来天井４０も下方に下がるので、右取付金具７４がフランジ部２２と従来天井４０との間に挟まれた状態になる。そこで、従来天井４０における右端側の締結ボルト３２の１つまたは２つを締付方向に回して、右取付金具７４をフランジ部２２と従来天井４０との間に挟んだ状態で締結ボルト３２とナット３４で仮止めする。
【００８３】
この状態で押込状態簡易天井５４を前方向にスライドさせると、右取付金具７４は締結ボルト３２のために前方向の移動ができない状態で、押込状態簡易天井５４の残りの部分が右取付金具７４に保持されながら前方向に移動する。そこで、押込状態簡易天井５４の前端側において、上記で述べたと同じ手順を繰り返して、前取付金具７６をフランジ部２２と従来天井４０との間に挟んだ状態で締結ボルト３２とナット３４で仮止めする。次に、押込状態簡易天井５４を左方向にスライドさせると、前取付金具７６は締結ボルト３２のために左方向の移動ができない状態で、押込状態簡易天井５４の残りの部分が前取付金具７６に保持されながら左方向に移動する。そこで、押込状態簡易天井５４の左端側において、上記で述べたものと同じ手順を繰り返して、左取付金具７２をフランジ部２２と従来天井４０との間に挟んだ状態で締結ボルト３２とナット３４で仮止めする。そして、押込状態簡易天井５４を後方向にスライドさせると、左取付金具７２は締結ボルト３２によって後方向の移動ができない状態で、押込状態簡易天井５４の残りの部分が左取付金具７２に保持されながら後方向に移動する。そこで、押込状態簡易天井５４の後端側において、上記で述べたものと同じ手順を繰り返して、後取付金具７８をフランジ部２２と従来天井４０との間に挟んだ状態で締結ボルト３２とナット３４で仮止めする。
【００８４】
次に、図６におけるＳ４０の締結部材の締め付け工程として、かご上の作業員が、４つの取付金具７２，７４，７６，７８の左右前後の端部位置が従来天井４０の左右前後の端部位置と一致しているか確認する。一致していないときは位置調整を行った上で、すべての締結ボルト３２をナット３４に対し締め付けて固定する。これによって、フランジ部２２と従来天井４０の間に張出状態簡易天井５６が挟まれて固定された状態の天井部３０を有する乗りかご１０となる。
【００８５】
上記第１の実施形態の構成によれば、簡易天井５０は、簡易天井本体部６０と、４つの取付金具７２，７４，７６，７８とを備える。そして、４つの取付金具７２，７４，７６，７８が簡易天井本体部６０の左右前後端に押し込まれている押込状態簡易天井５４は、かご室２０を上下方向に移動可能な大きさを有する。必要であれば、簡易天井本体部６０を２つに分割する等によって、作業員８が手で持ち上げ可能な質量とできるので、チェーンでの作業が不要となる。４つの取付金具７２，７４，７６，７８が簡易天井本体部６０の左右前後端から張り出している張出状態簡易天井５６は、押込状態簡易天井５４よりも左右前後に張出部分がある。この張出部分を、かご室２０の頂部外周部におけるフランジ部２２と従来天井４０の間に挟むことが可能である。張出状態簡易天井５６をかご室２０の頂部外周部におけるフランジ部２２の上面に配置し、その上方側に従来天井４０を配置することで、かご室２０における簡易天井５０の天井高さは、従来天井４０における天井高さと同じＨ２０にできる。従来天井４０は取り外さないので、取り外しのためのチェーンが不要となる。このように、簡易天井５０は、かご室２０の天井高さを変更せずに、比較的簡単な方法でかご室２０の天井を新しくできる。
【００８６】
［第２の実施形態］次に、第２の実施の形態を述べる。最初に、図１３、図１４を用いて第２の実施形態における分離状態簡易天井５３と、張出状態簡易天井５７の構成を述べる。その後で、これらを用いる簡易天井の取付方法について述べる。第２の実施形態では、押込状態簡易天井は用いない。
【００８７】
図１３は、第２の実施形態における分離状態簡易天井５３の構成図で、第１の実施形態における図３に対応する図である。第２実施形態においても、簡易天井５０は、簡易天井本体部６０と、４つの取付金具１１２，１１４，１１６，１１８で構成される。図３と異なるのは、４つの取付金具１１２，１１４，１１６，１１８であり、簡易天井本体部６０は、図３の簡易天井本体部６０と全く同じものである。図１３は、図３（ａ）の平面図に対応するが、Ｂ−Ｂ線、Ｃ−Ｃ線に沿った断面図は、要素の符号を除き、図３（ｂ），（ｃ）全く同じ構成となるので、図１３においてはこれらの断面図を省略する。
【００８８】
４つの取付金具１１２，１１４，１１６，１１８が図３における４つの取付金具７２，７４，７６，７８と異なるのは、切欠溝１２２，１２４，１２６，１２８の部分である。それ以外は、要素の符号が異なるのみで、図３で述べた内容と全く同じである。図１３の要素の符号は、図３の符号に「＋４０」したものである。例えば、右取付金具１１４の幅寸法Ｗ１１４は図３の右取付金具７４の幅寸法Ｗ７４と同じで、奥行寸法Ｌ１１４は図３の右取付金具７４の奥行寸法Ｌ７４と同じで、板厚ｔ１１４は図３の右取付金具７４の板厚ｔ７４と同じである。同様に、図１３の左取付金具１１２の各寸法は、図３の左取付金具７２において対応する各寸法と同じである。図１３の前取付金具１１６の各寸法は、図３の前取付金具７６において対応する各寸法と同じであり、図１３の後取付金具１１８の各寸法は、図３の後取付金具７８において対応する各寸法と同じである。
【００８９】
左取付金具１１２の切欠溝１２２は、図３の左取付金具７２の切欠溝８２と比べ、切欠溝１２２の溝開口部の配置が異なる。図３の左取付金具７２の切欠溝８２の溝開口部は、縦板部１０４の側に配置されるが、切欠溝１２２は、左取付金具１１２のコの字形状の開口部側に配置される。切欠溝１２２の半円部の中心位置は、左取付金具１１２の右端から測ってＷＦであり、これは図３の左取付金具７２の場合と同じである。同様に、右取付金具１１４の切欠溝１２４、前取付金具１１６の切欠溝１２６、後取付金具１１８の切欠溝１２８は、図３の右取付金具７４の切欠溝８４、前取付金具７６の切欠溝８６、後取付金具７８の切欠溝８８と、溝開口部の配置が異なる。これらについて、図３における右取付金具７４の切欠溝８４及び後取付金具７８の切欠溝８８の説明に対応させて、図１３における右取付金具１１４の切欠溝１２４と、後取付金具１１８の切欠溝１２８とについて説明する。
【００９０】
右取付金具１１４は、幅方向の左端に溝開口部を有する４つの切欠溝１２４を有する。切欠溝１２４の溝幅ｄ１２４は、右取付金具１１４が幅方向に沿ってスライド移動したときに、締結ボルト３２の軸部３３と干渉しない寸法に設定される。すなわち、（溝幅ｄ１２４）＞（軸部３３の外径ｄ３３）である。切欠溝１２４の溝長さＷ１２４は、｛（溝幅ｄ１２４）／２｝の半径を有する半円部から右取付金具１１４の左端までの長さである。｛（溝幅ｄ１２４）／２｝の半径を有する半円部の中心位置は、右取付金具１１４の右端から測ってＷＦの位置である。この中心位置は、図３の｛（溝幅ｄ８４）／２｝の半径を有する半円部の中心位置と同じである。左取付金具１１２の切欠溝１２２も同様の内容であるので、詳細な説明を省略する。
【００９１】
後取付金具１１８は、奥行方向の前端に溝開口部を有する２つの切欠溝１２８を有する。切欠溝１２８の溝幅ｄ１２８は、後取付金具１１８が奥行方向に沿ってスライド移動したときに、締結ボルト３２の軸部３３と干渉しない寸法に設定される。すなわち、（溝幅ｄ１２８）＞（軸部３３の外径ｄ３３）である。切欠溝１２８の溝長さＬ１２８は、｛（溝幅ｄ１２８）／２｝の半径を有する半円部から後取付金具１１８の奥行方向の前端までの長さである。｛（溝幅ｄ１２８）／２｝の半径を有する半円部の中心位置は、後取付金具１１８の後端から測ってＬＦの位置である。この中心位置は、図３の｛（溝幅ｄ８８）／２｝の半径を有する半円部の中心位置と同じである。前取付金具１１６の切欠溝１２６も同様の内容であるので、詳細な説明を省略する。
【００９２】
図１４は、第２の実施形態における張出状態簡易天井５７の構成図で、第１の実施形態における図５に対応する図である。図１４は、図５（ａ）の平面図に対応するが、Ｂ−Ｂ線、Ｃ−Ｃ線に沿った断面図は、要素の符号を除き、図５（ｂ）、（ｃ）と全く同じ構成であるので、図１５においてはこれらの断面図を省略する。
【００９３】
第２の実施形態と第１の実施形態との相違点は、左取付金具１１２の切欠溝１２２、右取付金具１１４の切欠溝１２４、前取付金具１１６の切欠溝１２６、後取付金具１１８の切欠溝１２８のみである。張出状態簡易天井５７において、これらの切欠溝１２２，１２４，１２６，１２８は、簡易天井本体部６０側の端部から切欠が始まって、反対側の端部からＷＦ＝ＬＦの位置に中心位置を有する半円部で終端する。図３の張出状態簡易天井５６の場合は、切欠溝８２，８４，８６，８８は、簡易天井本体部６０側とは反対側の端部から切欠が始まって、その反対側の端部からＷＦ＝ＬＦの位置に中心位置を有する半円部で終端する。このように、半円部の配置位置は図１３、図５のいずれにおいても同じであるが、半円部から切欠溝の延びる方向が図１３と図５とでは互いに逆方向である。また、図１３における切欠溝１２２，１２４，１２６，１２８の溝長さは、図５における切欠溝８２，８４，８６，８８の溝長さよりも長い。切欠溝１２２，１２４，１２６，１２８に関する相違点を除けば、図３で述べたスライド移動量、簡易天井本体部６０が取付金具の端部で保持される長さについても、図１４の張出状態簡易天井５７において同様に適用できる。
【００９４】
以上で、第２の実施形態における分離状態簡易天井５３と、張出状態簡易天井５７の構成についての説明が終わる。次に、第２の実施形態におけるエレベーターかご室の簡易天井取付方法について、第１の実施の形態におけるエレベーターかご室の簡易天井取付方法との相違点を中心に述べる。図１５は、第２の実施形態における簡易天井取付方法の詳細な手順を示すフローチャートである。
【００９５】
締結部材緩めの工程（Ｓ１０）は、図７のＳ１０、及び図８の内容と同じであるので、詳細な説明を省略する。図６におけるＳ２０の従来天井押上工程については、図７において押込状態簡易天井５４を用いるのに対し、簡易天井本体部６０を用いることが相違する。押込状態簡易天井５４の幅寸法Ｗ５６は｛（簡易天井本体部６０の幅寸法Ｗ６０）＋（左取付金具７２の板厚ｔ７２）＋（右取付金具７４の板厚ｔ７４）｝である。また、押込状態簡易天井５４の奥行寸法Ｌ５４は｛（簡易天井本体部６０の奥行寸法Ｌ６０）＋（前取付金具７６の板厚ｔ７６）＋（後取付金具７８の板厚ｔ７８）｝である。したがって、押込状態簡易天井５４がかご室２０内を上下方向に移動可能な大きさを有する場合には、簡易天井本体部６０もこれよりも小さいので、かご室２０内を上下方向に移動可能である。
【００９６】
図１５において、従来天井押上工程（Ｓ２０）としては、まず、簡易天井本体部６０をかご室２０内に搬入する（Ｓ２６）。この工程は、図７のＳ２１において、押込状態簡易天井５４を簡易天井本体部６０に置き換えただけである。次に、簡易天井本体部６０をかご室２０内で押し上げる（Ｓ２７）。この工程は、図７のＳ２２、及び図９において、押込状態簡易天井５４を簡易天井本体部６０に置き換えただけである。そして、簡易天井本体部６０を介して、従来天井４０を上方側に押し上げる（Ｓ２８）。この工程は、図７のＳ２３、及び図１０において、押込状態簡易天井５４を簡易天井本体部６０に置き換えただけである。Ｓ２８においては、対応する図１０に示されるように、かご室２０の頂部外周部のフランジ部２２の上面と、従来天井４０の下面との間に隙間ＳＰ１が形成される。隙間ＳＰ１は、簡易天井５０を構成する４つの取付金具１１２，１１４，１１６，１１８の上下寸法（Ｈ１１２＝Ｈ１１４＝Ｈ１１６＝Ｈ１１８）よりも大きくなるように、従来天井４０を押し上げる。
【００９７】
図６におけるＳ３０の簡易天井の配置工程としては、最初に、かご室２０の頂部外周部のフランジ部２２の上面と従来天井４０の下面との間に形成された隙間ＳＰ１に、４つの取付金具１１２，１１４，１１６，１１８を配置する（Ｓ３６）。この工程の作業は、かご上の作業員が行う。配置の際には、押し上げている簡易天井本体部６０との干渉を避けるために、４つの取付金具１１２，１１４，１１６，１１８がかご室２０にはみ出さないようにする。
【００９８】
図１６は、図１０に対応する図で、Ｓ３６の工程において、かご室２０内から上方側である天井側を見た図である。かご室２０の作業員８及びかご上の作業員の図示は省略した。かご室２０内において、簡易天井本体部６０の平面形状とかご室２０の側壁部１８の内壁面との間の隙間は、ＳＰ０である。４つの取付金具１１２，１１４，１１６，１１８は、それぞれ、フランジ部２２の左右前後の各辺の上面に配置される。配置は、乗りかご１０の外側から、隙間ＳＰ１にスライドして挿入する。挿入の方向は、切欠溝１２２，１２４，１２６，１２８の溝開口部が簡易天井本体部６０の方を向くようにする。配置位置を決めるために、緩めてある締結ボルト３２の軸部３３がそれぞれの切欠溝１２２，１２４，１２６，１２８に入りこむようにする。挿入深さは、取付金具１１２，１１４，１１６，１１８の簡易天井本体部６０側の端部が、かご室２０の内壁面の位置に一致するように設定する。
【００９９】
右取付金具１１４を例として述べると、コの字の開口部と同じ方向にある切欠溝１２４の溝開口部を、左側を向くようにして、切欠溝１２４が締結ボルト３２の軸部３３を案内する位置に配置し、フランジ部２２と従来天井４０との間の隙間ＳＰ１に挿入する。右取付金具１１４の左端部、図１６においてＷ２０と示す範囲にはみ出さないように、かご室２０の内壁面の位置で止める。この状態が図１６に示される。右取付金具１１４の幅寸法Ｗ１１４はフランジ部２２の幅寸法Ｗ２２よりも長いので、右取付金具１１４の右端部は、従来天井４０の右側に突き出ている。かご上の作業員は、Ｗ２０の範囲が従来天井４０で隠されていて視認できないので、右取付金具１１４に適当な目印を付けて、従来天井４０から突き出る長さを管理することで、右取付金具１１４の左端がかご室２０にはみ出さないようにできる。このようにして、４つの取付金具１１２，１１４，１１６，１１８は、それぞれ、フランジ部２２の左右前後の各辺の上面に配置される。
【０１００】
再び図１５に戻り、フランジ部２２と従来天井４０との隙間ＳＰ１に配置された４つの取付金具１１２，１１４，１１６，１１８を、かご室２０側に移動させる。そして、コの字の開口部に簡易天井本体部６０の端部を挿入して、簡易天井本体部６０の左右前後の端部側を保持する（Ｓ３７）。この状態で、かご室２０の作業員８は簡易天井本体部６０を押し上げる動作をやめてよい。この場合、４つの取付金具１１２，１１４，１１６，１１８は、フランジ部２２と従来天井４０の隙間ＳＰ１の間に留まっている。換言すれば、簡易天井本体部６０の左右前後の端部から４つの取付金具１１２，１１４，１１６，１１８が張り出した状態であるが、張出部分の長さは、ばらばらである。
【０１０１】
そこで、簡易天井本体部６０からの４つの取付金具１１２，１１４，１１６，１１８の張出部分の長さを、図１４で述べた状態の長さとなるようにして、張出部分をかご室２０の頂部外周部のフランジ部２２と従来天井４０との間に配置する（Ｓ３８）。ここでの配置は、図１４で述べた張出状態簡易天井５７の状態にすることを意味する。かご上の作業員は、４つの取付金具１１２，１１４，１１６，１１８をさらにかご室２０側に移動して、切欠溝１２２，１２４，１２６，１２８の半円部を締結ボルト３２の軸部３３に突き当てる。図１６に示すように、右取付金具１１４の切欠溝１２４の半円部の中心位置は、右取付金具１１４の右端からＷＦである。切欠溝１２４に対応する締結ボルト３２の中心位置は、従来天井４０の右端からＷ３２である。ＷＦ＝Ｗ３２に設定されているので、右取付金具１１４をかご室２０側に移動して、切欠溝１２４の半円部を締結ボルト３２の軸部３３に突き当てと、図１４で述べた張出状態簡易天井５７の右端部の状態になる。他の取付金具１１４，１１６，１１８についても、かご室２０側に移動して、切欠溝１２４，１２６，１２８の半円部を締結ボルト３２の軸部３３に突き当てることで、図１４で述べた張出状態簡易天井５７の状態になる。
【０１０２】
次に行われる締結部材締め付け（Ｓ４０）の工程は、図７のＳ４０、及び図１２の内容と同じであるので、詳細な説明を省略する。
【０１０３】
第２の実施形態の構成では、第１の実施形態と比べて、４つの取付金具１１２，１１４，１１６，１１８における切欠溝１２２，１２４，１２６，１２８が異なり、その相違に伴い、取付方法における従来天井の押上工程と、簡易天井の配置工程とが異なる。簡易天井５０を配置し、締結部材を締め付けた状態では、第１の実施形態と同じ乗りかご１０となる。すなわち、簡易天井５０は、かご室２０の頂部外周部のフランジ部２２と従来天井４０との間に挟まれて配置される。したがって、第２の実施形態においても、第１の実施形態と同様に、かご室２０における簡易天井５０の天井高さは、従来天井４０における天井高さと同じＨ２０にできる。また、従来天井４０は取り外さないので、取り外しのためのチェーンが不要となる。このように、簡易天井５０は、かご室２０の天井高さを変更せずに、比較的簡単な方法でかご室２０の天井を新しくできる。
【符号の説明】
【０１０４】
６  作業台、８  作業員、１２  かご室体、１４  下枠、１６  床部、１８  側壁部、２０  かご室、２２  フランジ部、３０  天井部、３１  頭部、３２  締結ボルト、３３  軸部、３４  ナット、４０  従来天井、４２，６１  フランジ部分、４４，６５  照明装置、５０  簡易天井、５２，５３  分離状態簡易天井、５４  押込状態簡易天井、５６，５７  張出状態簡易天井、６０  簡易天井本体部、６２，６４  部分天井部、６６，６７，６８，６９  照明ブロック、７０  配線、７１  引出穴、７２，１０２  （左）取付金具、７４，１０４  （右）取付金具、７６，１１６  （前）取付金具、７８，１１８  （後）取付金具、８２，８４，８６，８８，１２２，１２４，１２６，１２８  切欠溝、９０，１００  上板部、９２，１０２  下板部、９４，１０４  縦板部。
【図１】
2019218205.tif 000003
【図２】
2019218205.tif 000004
【図３】
2019218205.tif 000005
【図４】
2019218205.tif 000006
【図５】
2019218205.tif 000007
【図６】
2019218205.tif 000008
【図７】
2019218205.tif 000009
【図８】
2019218205.tif 000010
【図９】
2019218205.tif 000011
【図１０】
2019218205.tif 000012
【図１１】
2019218205.tif 000013
【図１２】
2019218205.tif 000014
【図１３】
2019218205.tif 000015
【図１４】
2019218205.tif 000016
【図１５】
2019218205.tif 000017
【図１６】
2019218205.tif 000018